(57)【要約】【課題】第１内側端子に対する第１外側端子の差込方向と交差する方向においてハウジングを小型化することができる配線器具を提供する。【解決手段】配線器具１０は、第１内側端子８と、第２内側端子９と、第１内側端子８が実装される第１基板５と、第２基板６と、ハウジング１とを備える。第１内側端子８は、差込式の第１外側端子１８を接続可能である。第２内側端子９は、第２外側端子１９を接続可能である。第２基板６は、第１基板５に電気的に接続される。ハウジング１は、第１基板５及び第２基板６を収納する。第１基板５の法線方向は、第１内側端子８に対する第１外側端子１８の差込方向に沿う方向である。第２基板６の法線方向は、上記差込方向と交差する方向である。第１内側端子８は、第１基板５における第２基板６とは反対側の面に配置されている。【選択図】図１
2020102222.tif 000002
【特許請求の範囲】
【請求項１】
差込式の第１外側端子を接続可能に構成された第１内側端子と、
第２外側端子を接続可能に構成された第２内側端子と、
前記第１内側端子が実装される第１基板と、
前記第１基板に電気的に接続される第２基板と、
前記第１基板及び前記第２基板を収納するハウジングと、を備え、
前記第１基板の法線方向は、前記第１内側端子に対する前記第１外側端子の差込方向に沿う方向であって、
前記第２基板の法線方向は、前記差込方向と交差する方向であって、
前記第１内側端子は、前記第１基板における前記第２基板とは反対側の面に配置されている
ことを特徴とする配線器具。
【請求項２】
差込式の第１外側端子を接続可能に構成された第１内側端子と、
第２外側端子を接続可能に構成された第２内側端子と、
前記第１内側端子が実装される第１基板と、
前記第１基板に電気的に接続される第２基板と、
前記第１基板及び前記第２基板を収納するハウジングと、を備え、
前記第１基板の法線方向は、前記第１内側端子に対する前記第１外側端子の差込方向に沿う方向であって、
前記第２基板の法線方向は、前記差込方向と交差する方向であって、
前記ハウジングは、前記差込方向から見て矩形状であって、
前記第１基板は、前記差込方向から見て前記ハウジング内に収まる矩形状であって、
前記第２基板は、前記差込方向から見て前記第１基板内に収まるように配置されている
ことを特徴とする配線器具。
【請求項３】
前記ハウジングは、前記差込方向における一面が開口する箱状のボディと、前記ボディの開口を塞ぐように前記ボディに取り付けられるカバーと、を含み、
前記カバーは、前記第１基板を収納する第１収納部を有し、
前記ボディは、前記第２基板を収納する第２収納部を有している
ことを特徴とする請求項１又は２に記載の配線器具。
【請求項４】
前記ボディは、前記第２収納部に収納された前記第２基板を保持する
ことを特徴とする請求項３に記載の配線器具。
【請求項５】
前記第１内側端子はＵＳＢソケットである
ことを特徴とする請求項１〜４のいずれか１項に記載の配線器具。
【発明の詳細な説明】
【技術分野】
【０００１】
本発明は、一般に配線器具に関し、より詳細には、差込式の端子を接続可能に構成された配線器具に関する。
【背景技術】
【０００２】
従来、ＵＳＢプラグが接続されるＵＳＢソケットを備えた配線器具が提供されている（例えば特許文献１参照）。特許文献１に記載の配線器具は、第１プリント配線板と、第２プリント配線板と、第１プリント配線板及び第２プリント配線板を収納するハウジングと、を備える。第１プリント配線板には、ＵＳＢソケットと、ＡＣ−ＤＣコンバータを構成する複数の回路部品の一部とが実装されている。複数の回路部品のうち第１プリント配線板に実装された回路部品を除く残りの回路部品は、第２プリント配線板に実装されている。
【先行技術文献】
【特許文献】
【０００３】
【特許文献１】特開２０１４−１５５３９６号公報
【発明の概要】
【発明が解決しようとする課題】
【０００４】
特許文献１に記載の配線器具では、第１プリント配線板及び第２プリント配線板は、その法線方向がＵＳＢソケット（第１内側端子）に対するＵＳＢプラグ（第１外側端子）の差込方向に沿うようにしてハウジングに収納される。そのため、上記差込方向と交差する方向においてハウジングが大型化するという問題があった。
【０００５】
本発明は上記課題に鑑みてなされており、第１内側端子に対する第１外側端子の差込方向と交差する方向においてハウジングを小型化することができる配線器具を提供することを目的とする。
【課題を解決するための手段】
【０００６】
本発明の一態様に係る配線器具は、第１内側端子と、第２内側端子と、第１基板と、第２基板と、ハウジングと、を備える。前記第１内側端子は、差込式の第１外側端子を接続可能に構成されている。前記第２内側端子は、第２外側端子を接続可能に構成されている。前記第１基板には、前記第１内側端子が実装される。前記第２基板は、前記第１基板に電気的に接続される。前記ハウジングは、前記第１基板及び前記第２基板を収納する。前記第１基板の法線方向は、前記第１内側端子に対する前記第１外側端子の差込方向に沿う方向である。前記第２基板の法線方向は、前記差込方向と交差する方向である。前記第１内側端子は、前記第１基板における前記第２基板とは反対側の面に配置されている。
【発明の効果】
【０００７】
本発明によれば、第１内側端子に対する第１外側端子の差込方向と交差する方向においてハウジングを小型化することができる、という利点がある。
【図面の簡単な説明】
【０００８】
【図１】図１は、本発明の一実施形態に係る配線器具の分解斜視図である。
【図２】図２は、同上の配線器具の斜視図である。
【図３】図３Ａは、同上の配線器具が備えるボディの正面図、図３Ｂは平面図、図３Ｃは底面図である。
【図４】図４Ａは、同上の配線器具が備えるカバーの正面図、図４Ｂは平面図、図４Ｃは底面図である。
【図５】図５Ａは、同上の配線器具が備える支持部材の正面図、図５Ｂは平面図、図５Ｃは底面図である。
【図６】図６Ａは、同上の配線器具が備える支持部材の左側面図、図６Ｂは右側面図である。
【図７】図７は、同上の配線器具においてカバーを取り外した状態の斜視図である。
【図８】図８は、同上の配線器具の断面図である。
【図９】図９は、同上の配線器具の別の断面図である。
【発明を実施するための形態】
【０００９】
以下、本発明の一実施形態について説明する。下記の実施形態は、本発明の様々な実施形態の一つに過ぎない。また、下記の実施形態は、本発明の目的を達成できれば、設計等に応じて種々の変更が可能である。
【００１０】
（１）概要
まず、本実施形態に係る配線器具１０の概要について、図１及び図２を参照して説明する。
【００１１】
本実施形態に係る配線器具１０は、例えばＵＳＢケーブルの先端に設けられたＵＳＢプラグが接続可能なＵＳＢコンセントであり、ＵＳＢケーブルに電気的に接続された電気機器（例えば、スマートフォン）に対して電力供給を行う。また、本実施形態に係る配線器具１０は、例えば建物の壁に取り付けられる屋内用の配線器具である。配線器具１０が設置される建物は、例えば戸建住宅、集合住宅の各住戸、事務所、店舗又は介護施設等である。
【００１２】
配線器具１０は、配線器具１０に対して電線を電気的に接続した状態で、施工面（ここでは建物の壁面）に取り付けられる。この配線器具１０においては、カバー３の前面に形成された第１挿通孔３２０にＵＳＢケーブルのＵＳＢプラグが差し込まれることによって、ＵＳＢプラグが電気的に接続され、配線器具１０から電気機器への電力供給が可能になる。ここで、配線器具１０は、埋込型の配線器具であって、取付枠を用いて施工面に取り付けられる。具体的には、配線器具１０が取り付けられた取付枠を、例えば埋込ボックスに対して固定することにより、配線器具１０が施工面に取り付けられる。ここでいう埋込ボックスは、前面が開放された箱状の部材であって、施工面に形成された施工孔から前面を前方に露出させるように、壁内に設置される。
【００１３】
配線器具１０は、図１に示すように、第１内側端子８と、第２内側端子９と、第１基板５と、第２基板６と、第３基板７と、ハウジング１と、を備えている。第１内側端子８は、差込式の第１外側端子１８を接続可能に構成されている。第２内側端子９は、第２外側端子１９を接続可能に構成されている。第１外側端子１８は、例えばＵＳＢプラグであり、第１内側端子８は、ＵＳＢプラグが着脱可能に差込接続されるＵＳＢソケットである。第２外側端子１９は、例えば給電用の電線の心線であり、第２内側端子９は、心線が電気的に接続される端子金具である。
【００１４】
第１基板５には、第１内側端子８が実装されている。第２基板６は、第１基板５に電気的に接続されている。第３基板７には、第２内側端子９が実装されている。また、第３基板７は、第２基板６に電気的に接続されている。ハウジング１は、第１基板５、第２基板６及び第３基板７を収納する。
【００１５】
第１基板５及び第３基板７の法線方向は、第１内側端子８に対する第１外側端子１８の差込方向（前後方向）に沿う方向である。第２基板６の法線方向は、上記差込方向と交差する方向（上下方向）である。
【００１６】
このように、第２基板６の法線方向が上記差込方向と交差する方向であるので、第２基板６の法線方向が上記差込方向に沿う方向である場合と比較して、上記差込方向と交差する方向においてハウジング１を小型化することができる。
【００１７】
（２）詳細
以下、本実施形態に係る配線器具１０について詳細に説明する。なお、以下の説明では特に断りのない限り、図１〜図９に示す矢印により、配線器具１０の上下、左右、前後の各方向を規定する。すなわち、配線器具１０が施工面に取り付けられた状態を正面から見て、鉛直方向（上下方向）を上下方向とし、左右方向を左右方向とし、施工面の法線方向を前後方向（手前が前側）とする。ただし、これらの方向は配線器具１０の使用方向を規定する趣旨ではない。また、図１〜図９に示す矢印は、単に説明を補助する目的で記載しているに過ぎず、実体を伴わない。
【００１８】
本実施形態に係る配線器具１０は、図１及び図２に示すように、第１内側端子８と、第２内側端子９と、第１基板５と、第２基板６と、第３基板７と、支持部材４と、ハウジング１と、を備えている。
【００１９】
第１内側端子８は、例えばＵＳＢ（UniversalSerial Bus）ソケットである。第１内側端子８は、図１に示すように、その長手方向（左右方向）が第１基板５の長手方向に沿うようにして第１基板５に実装されている。言い換えると、第１内側端子８の長手方向と第１基板５の長手方向とが同じ方向である。第１内側端子８は、差込式の第１外側端子１８が接続可能に構成されている。第１外側端子１８は、ここではＵＳＢケーブルの先端に設けられたＵＳＢプラグである（図１参照）。ＵＳＢソケット及びＵＳＢプラグは、例えばＵＳＢ３．０等のＵＳＢ規格に準拠している。
【００２０】
第２内側端子９は、例えば銅合金からなる板金を曲げ加工することにより、後方から見た形状がＵ字状に形成された端子金具である。第２内側端子９は、ここでは２個１組である。これらの第２内側端子９は、互いの開口側を向かい合わせた状態で第３基板７に実装されている。
【００２１】
各第２内側端子９の左片、下片（又は上片）及び右片で囲まれた空間内には、対応する鎖錠ばね１１が収納される。鎖錠ばね１１は、図１に示すように、支持片１１０と、鎖錠片１１１と、押圧片１１２と、を有している。支持片１１０は、前後方向に長い板状である。鎖錠片１１１は、板状であり、支持片１１０の後端において一体に形成されている。鎖錠片１１１は、支持片１１０の後端から斜め前方に傾斜している。押圧片１１２は、上下方向から見た形状がＵ字状であり、支持片１１０の前端において一体に形成されている。
【００２２】
第２内側端子９は、第２外側端子１９を接続可能に構成されている。第２外側端子１９は、ここでは外部電源（例えば、商用電源）に電気的に接続された給電用の電線の心線である。第２外側端子１９は、鎖錠ばね１１の押圧片１１２からの押圧力によって第２内側端子９の左片に押し付けられ、これにより第２内側端子９と第２外側端子１９とが電気的に接続される。
【００２３】
第１基板５は、例えばガラス・エポキシ樹脂からなるプリント配線板である。第１基板５は、左右方向に長い矩形状である。第１基板５は、第１面５１と、第２面５２と、を有している。第１面５１は、ここでは第１基板５の前面であり、第１面５１には第１内側端子８が配置されている。第２面５２は、ここでは第１基板５の後面であり、第２面５２には、電子部品１５が配置されている。電子部品１５は、例えば平滑コンデンサである。この平滑コンデンサは、第２基板６からの直流電力を平滑化して第１内側端子８に出力する。電子部品１５は、第２面５２の右側かつ下側の角部に配置されている。
【００２４】
第１基板５は、複数（ここでは３個）の位置決め孔５３を有している。複数の位置決め孔５３の各々は、前後方向に矩形状に貫通している。複数の位置決め孔５３のうち２個の位置決め孔５３は、第１基板５の４辺のうちの上側の１辺において左右方向における両端寄りの位置にそれぞれ設けられている（図１では片側のみ図示）。複数の位置決め孔５３のうち残りの１個の位置決め孔５３は、第１基板５の４辺のうちの下側の１辺において左右方向における中央寄りの位置に設けられている。
【００２５】
第１基板５は、その法線方向（厚み方向）が前後方向に沿うようにしてハウジング１に収納される。言い換えると、第１基板５の法線方向は、第１内側端子８に対する第１外側端子１８の差込方向に沿う方向である。ここに、本実施形態では、第１内側端子８に対する第１外側端子１８の差込方向が前後方向である。
【００２６】
第２基板６は、第１基板５と同様に、例えばガラス・エポキシ樹脂からなるプリント配線板である。第２基板６は、前後方向に長い矩形の主部６１と、主部６１の前側かつ左側の角部から左向きに突出する矩形の突出部６２とで、上下方向から見た形状がＬ字状に形成されている。第２基板６（主部６１及び突出部６２）の一面（下面）には、複数の電子部品１６が配置されている。これら複数の電子部品１６は、例えば、上記電線を介して外部電源から供給される交流電力を所定電圧の直流電力に変換するＡＣ−ＤＣコンバータを構成している。したがって、複数の電子部品１６には、トランス、電解コンデンサ、抵抗、インダクタ等が含まれている。
【００２７】
また、第２基板６の主部６１には、複数（ここでは３本）の接続ピンを有する端子部１７が実装されている。第２基板６は、第１基板５に形成された複数（ここでは３個）のスルーホールに複数の接続ピンをそれぞれ差し込んで半田にて接続することにより、第１基板５に電気的に接続される。つまり、第２基板６は、ＡＣ−ＤＣコンバータにて生成した直流電力を、端子部１７を介して第１基板５に出力する。第２基板６は、その法線方向（厚み方向）が前後方向と交差するようにしてハウジング１に収納される。言い換えると、第２基板６の法線方向は、上記差込方向と交差する方向である。
【００２８】
第２基板６は、後述するボディ２の第２収納部２１にヨーク１３とともに収納される。ヨーク１３は、第２基板６に実装された複数の電子部品１６のうちの１つであるトランスとともに磁気回路を形成する。ヨーク１３は、例えば金属板を曲げ加工することにより、上下方向から見た形状がＵ字状に形成されている。ヨーク１３は、左右方向に沿った板状の後片１３０と、後片１３０の右端から前方に突出する右片１３１と、後片１３０の左端から前方に突出する左片１３２と、を有している。ヨーク１３は、第２収納部２１に収納された状態において、第２基板６に実装されたトランスの右側、後側及び左側を覆うように配置される。
【００２９】
第３基板７は、第１基板５と同様に、例えばガラス・エポキシ樹脂からなるプリント配線板である。第３基板７は、上下方向に長い矩形状である。第３基板７の一面（後面）には、２個の第２内側端子９が上下方向に並べて配置されている。第３基板７は、例えばリード線等を介して第２基板６に電気的に接続され、上記電線を介して外部電源から供給される交流電力を第２基板６に出力する。
【００３０】
ハウジング１は、図１に示すように、一面（前面）が開口した箱状のボディ２と、ボディ２の開口を塞ぐようにボディ２に取り付けられるカバー３と、を含む。ボディ２及びカバー３は、例えばＰＢＴ（Polybutyleneterephthalate）樹脂により形成されている。
【００３１】
ボディ２は、図３Ａ〜図３Ｃに示すように、左右方向に長い直方体状である。ボディ２は、第２基板６を収納する第２収納部２１と、第３基板７を収納する第３収納部２２と、を有している。言い換えると、ボディ２の内部空間は、ボディ２の底壁から前方に突出する縦壁２３によって、第２収納部２１と第３収納部２２とに分けられている。つまり、ボディ２の内部空間のうち縦壁２３よりも右側の空間が第２収納部２１であり、縦壁２３よりも左側の空間が第３収納部２２である。ここで、第２収納部２１と第３収納部２２とは、前後方向に沿った外形寸法（高さ寸法）が異なっている。本実施形態では、第３収納部２２の高さ寸法が第２収納部２１の高さ寸法よりも小さい（図３Ａ参照）。
【００３２】
第２収納部２１は、一対の保持溝２１０と、第１支え部２１１と、第２支え部２１２と、第３支え部２１３と、第４支え部２１４と、を有している。
【００３３】
一対の保持溝２１０の各々は、前後方向から見た形状がＵ字状であり、前後方向に沿って形成されている。一対の保持溝２１０は、第２収納部２１の左側壁及び右側壁にそれぞれ設けられている。一対の保持溝２１０は、第２収納部２１の上寄りの位置にそれぞれ設けられている。そして、第２基板６の左右方向における両端部を一対の保持溝２１０にそれぞれ差し込むことにより、第２基板６が第２収納部２１に収納され、ボディ２に保持される。言い換えると、第２基板６は、上記差込方向と交差し、かつ第２基板６の法線方向と交差する方向における両端部を一対の保持溝２１０にそれぞれ差し込むことで、ボディ２に保持される。
【００３４】
第１支え部２１１は、第２収納部２１の右側かつ下側の角部に設けられている。第１支え部２１１は、ボディ２の底壁から前方に突出している。第１支え部２１１の表面（前面）は、前後方向においてボディ２の前端面よりも後方に位置している。第１支え部２１１の前面の中央寄りの位置には、前方に突出する突部２１１０が一体に形成されている。
【００３５】
第２支え部２１２は、第２収納部２１の右側かつ上側の角部に設けられている。言い換えると、第２支え部２１２は、一対の保持溝２１０のうち右側の保持溝２１０の上側に設けられている。第２支え部２１２は、ボディ２の底壁から前方に突出している。第２支え部２１２の表面（前面）は、前後方向においてボディ２の前端面よりも後方に位置している。言い換えると、第２支え部２１２の前面は、前後方向において第１支え部２１１の前面と同じ位置にある。
【００３６】
第３支え部２１３は、第２支え部２１２の左側に設けられている。第３支え部２１３は、ボディ２の底壁から前方に突出している。第３支え部２１３の表面（前面）は、前後方向においてボディ２の前端面よりも後方に位置している。言い換えると、第３支え部２１３の前面は、前後方向において第１支え部２１１及び第２支え部２１２の前面と同じ位置である。
【００３７】
第４支え部２１４は、第２収納部２１の左側かつ上側の角部に設けられている。第４支え部２１４は、ボディ２の底壁から前方に突出している。第４支え部２１４の表面（前面）は、前後方向においてボディ２の前端面よりも後方に位置している。言い換えると、第４支え部２１４の前面は、前後方向において第１支え部２１１、第２支え部２１２及び第３支え部２１３の前面と同じ位置である。ここに、本実施形態では、第１支え部２１１、第２支え部２１２、第３支え部２１３及び第４支え部２１４により、後述する支持部材４を支える支え部が構成されている。
【００３８】
第２収納部２１と第３収納部２２とを隔てる縦壁２３は、２個の突部２３１を有している。２個の突部２３１は、縦壁２３の上下方向における両端部からそれぞれ前方に突出している。
【００３９】
第３収納部２２は、２個の端子用収納部２２０と、釦用収納部２２１と、を有している。２個の端子用収納部２２０は、所定の間隔を空けた状態で上下方向に並べて設けられている。釦用収納部２２１は、上下方向において２個の端子用収納部２２０間に設けられている。
【００４０】
２個の端子用収納部２２０の各々には、第３基板７に実装された２個の第２内側端子９（対応する鎖錠ばね１１を含む）のいずれかが収納される。２個の端子用収納部２２０に２個の第２内側端子９を収納させた状態では、第３収納部２２の前端面に第３基板７が載せ置かれる。ボディ２の底壁において２個の端子用収納部２２０に対応する位置には、前後方向に貫通する第２挿通孔２２００がそれぞれ設けられている。そして、第２挿通孔２２００に第２外側端子１９を差し込むことにより、第２外側端子１９が第２内側端子９に電気的に接続される。このとき、第２外側端子１９は、第２内側端子９と対応する鎖錠ばね１１との間に差し込まれ、鎖錠ばね１１の押圧片１１２からの押圧力によって第２内側端子９の左片に接触する。また、第２外側端子１９は、対応する鎖錠ばね１１の鎖錠片１１１によって抜け止めされる。
【００４１】
釦用収納部２２１には、解除釦１２（図１参照）が収納される。解除釦１２は、鎖錠ばね１１による第２外側端子１９の鎖錠状態を解除するための釦である。解除釦１２は、例えばＰＢＴ樹脂により形成されている。解除釦１２は、操作片１２０と、２個の作用片１２１と、を有している。操作片１２０は、前後方向に長い直方体状である。２個の作用片１２１は、操作片１２０の上下方向における両側にそれぞれ一体に形成されている。ボディ２の底壁において釦用収納部２２１に対応する位置には、前後方向に貫通する解除孔２２１０が設けられている。解除孔２２１０は、上下方向に長い長孔である。
【００４２】
解除釦１２は、釦用収納部２２１に収納された状態において、第１位置と第２位置との間で前後方向に移動可能である。解除釦１２が第１位置にあるときには、鎖錠ばね１１の鎖錠片１１１によって第２外側端子１９が抜け止めされる。解除釦１２が第２位置にあるときには、解除釦１２の作用片１２１によって鎖錠片１１１が第２外側端子１９から離れる方向へ移動し、第２外側端子１９の抜け止めが解除される。すなわち、解除釦１２を第２位置に移動させることにより、第２外側端子１９を引き抜くことができる。解除釦１２を第２位置へ移動させる際には、解除孔２２１０に解除用治具（例えば、マイナスドライバ）を差し込むことにより、解除釦１２が第２位置へ移動する。また、解除釦１２を第１位置へ移動させる際には、解除孔２２１０から解除用治具を抜くことにより、鎖錠ばね１１の鎖錠片１１１からの弾性力によって解除釦１２が第１位置へ移動する。
【００４３】
ボディ２は、複数（ここでは４個）の組立突起２４を有している。複数の組立突起２４のうち２個の組立突起２４は、ボディ２の上側壁に設けられている。これら２個の組立突起２４は、上側壁において、所定の間隔を空けた状態で左右方向に並んでいる。また、複数の組立突起２４のうち残りの２個の組立突起２４は、ボディ２の下側壁に設けられている。これら２個の組立突起２４は、下側壁において、所定の間隔を空けた状態で左右方向に並んでいる。これら４個の組立突起２４は、後述するカバー３に設けられた４個の組立孔３３０にそれぞれ嵌まり込むことによりボディ２とカバー３とが結合し、ハウジング１が組み立てられる。
【００４４】
また、ボディ２は、２個の突条部２５を有している。２個の突条部２５のうちの一方は、ボディ２の左側壁の前端部から前方に突出している。２個の突条部２５のうちの他方は、ボディ２の右側壁の前端部から前方に突出している。これらの突条部２５は、上下方向に沿って所定長さに形成されている。
【００４５】
カバー３は、図４Ａ〜図４Ｃに示すように、左右方向に長い直方体状である。カバー３は、カバー本体３１と、突台部３２と、２個の組立片３３と、を有している。
【００４６】
カバー本体３１は、後面（ボディ２と対向面）が開口した直方体状である。カバー本体３１は、複数（ここでは４個）の変形部３１０と、差込部３１１，３１２と、４個の取付溝３１３と、２個の差込溝３１４と、を有している。
【００４７】
複数の変形部３１０は、カバー本体３１の前壁の四隅近傍にそれぞれ設けられている（図４Ｃ参照）。複数の変形部３１０の各々は、円錐状であり、カバー本体３１の前壁の後面から後方に突出している。これら複数の変形部３１０は、配線器具１０を組み立てた状態において、第１基板５の第１面５１に接触することによって塑性変形する。言い換えると、複数の変形部３１０の先端部は、第１基板５の第１面５１に接触することによって潰れる。
【００４８】
差込部３１１は、カバー本体３１の左側かつ下側の角部近傍に設けられている。差込部３１１は、カバー本体３１の前壁の後面から後方に突出している。差込部３１１は、前後方向においてカバー本体３１の後端面よりも後方に位置している。言い換えると、差込部３１１は、カバー本体３１の後端面よりも後方に突出している。
【００４９】
差込部３１２は、カバー本体３１の左側かつ上側の角部近傍に設けられている。差込部３１２は、カバー本体３１の前壁の後面から後方に突出している。差込部３１２は、前後方向においてカバー本体３１の後端面よりも後方に位置している。言い換えると、差込部３１２は、カバー本体３１の後端面よりも後方に突出している。これらの差込部３１１，３１２は、ボディ２にカバー３が取り付けられた状態において、ボディ２内に差し込まれる。
【００５０】
４個の取付溝３１３の各々は、小幅部３１３０と、大幅部３１３１と、を有している。小幅部３１３０の幅寸法（左右寸法）は、後述する取付金具１４の腕片１４１の幅寸法よりもわずかに大きい寸法である。大幅部３１３１の幅寸法は、小幅部３１３０の幅寸法よりも大きい寸法である。大幅部３１３１は、前後方向において小幅部３１３０の後方に位置している。
【００５１】
４個の取付溝３１３のうち２個の取付溝３１３は、カバー本体３１の上側壁に設けられている。これら２個の取付溝３１３は、上側壁の左右方向における両端寄りの位置にそれぞれ設けられている。４個の取付溝３１３のうち残りの２個の取付溝３１３は、カバー本体３１の下側壁に設けられている。これら２個の取付溝３１３は、下側壁の左右方向における両端寄りの位置にそれぞれ設けられている。本実施形態では、上側壁の右側に位置する取付溝３１３と下側壁の右側に位置する取付溝３１３とで１組の取付溝を構成し、上側壁の左側に位置する取付溝３１３と下側壁の左側に位置する取付溝３１３とで１組の取付溝を構成している。そして、各組の取付溝に対して１個の取付金具１４が取り付けられる。
【００５２】
ここで、本実施形態に係る配線器具１０は、２個の取付金具１４によって取付枠に取り付けられる。２個の取付金具１４の各々は、図１に示すように、左右方向から見た形状がＵ字状である。各取付金具１４は、主片１４０と、２個の腕片１４１と、を有している。主片１４０は、上下方向から見た形状がＬ字状であり、上下方向に沿って形成されている
。主片１４０の左端縁（又は右端縁）には、左向き（又は右向き）に突出する２個の引掛爪１４００が一体に形成されている。２個の引掛爪１４００は、主片１４０の上下方向における両端寄りの位置にそれぞれ設けられている。そして、取付枠に設けられた２個の引掛孔にこれらの引掛爪１４００をそれぞれ引っ掛けることにより配線器具１０が取付枠に取り付けられる。
【００５３】
主片１４０の上下方向における両端部には、２個の腕片１４１がそれぞれ一体に形成されている。２個の腕片１４１の各々は、前後方向に沿って伸びる板状である。各腕片１４１の先端部（後端部）には、左右方向において二股に分かれた２個の曲げ片１４１０が一体に形成されている。
【００５４】
２個の取付金具１４のうち一方（図１中の右側）の取付金具１４は、カバー本体３１の右側に取り付けられる。このとき、取付金具１４の一方（図１中の下側）の腕片１４１は、カバー本体３１の下側壁の右側の取付溝３１３内に配置され、他方（図１中の上側）の腕片１４１は、カバー本体３１の上側壁の右側の取付溝３１３内に配置される。そして、各腕片１４１の２個の曲げ片１４１０を互いに離れる方向に曲げることにより、取付金具１４がカバー３に取り付けられる。他方（図１中の左側）の取付金具１４についても同様の手順によりカバー３に取り付けられる。
【００５５】
２個の差込溝３１４は、カバー本体３１の左側壁及び右側壁の後端部にそれぞれ設けられている。２個の差込溝３１４は、上下方向に沿って所定長さに形成されている。配線器具１０を組み立てた状態では、２個の差込溝３１４に２個の突条部２５がそれぞれ差し込まれる。
【００５６】
突台部３２は、左右方向に長い直方体状であり、カバー本体３１の前壁から前方に突出している。突台部３２の前壁３００には、前後方向に貫通する第１挿通孔（挿通孔）３２０が設けられている。この第１挿通孔３２０は、突台部３２の前壁３００の後面からなる対向面３００ａ（図４Ｃ参照）の中心を含む位置に設けられている。第１挿通孔３２０は、左右方向に長い矩形状である。言い換えると、第１挿通孔３２０の長手方向は、突台部３２の前壁３００の長手方向に沿う方向である。そして、第１基板５に実装された第１内側端子８は、その長手方向がハウジング１の長手方向（左右方向）に沿うようにしてハウジング１に収納される。
【００５７】
カバー本体３１の内部空間と突台部３２の内部空間とはつながっており、ここでは２つの内部空間により第１収納部３４が構成されている。したがって、配線器具１０を組み立てた状態では、第１基板５（第１内側端子８を含む）が第１収納部３４に収納される。
【００５８】
カバー本体３１の上側壁及び下側壁には、後方に突出する組立片３３がそれぞれ一体に形成されている。これらの組立片３３は、上下方向から見た形状が矩形状である。各組立片３３には、所定の間隔を空けて左右方向に並ぶ２個の組立孔３３０が設けられている。ボディ２にカバー３が取り付けられた状態では、ボディ２の上側壁に設けられた２個の組立突起２４が、カバー３の上側の組立片３３の２個の組立孔３３０にそれぞれ嵌まり込む。また、ボディ２にカバー３が取り付けられた状態では、ボディ２の下側壁に設けられた２個の組立突起２４が、カバー３の下側の組立片３３の２個の組立孔３３０にそれぞれ嵌まり込む。これにより、ボディ２とカバー３とが結合し、ハウジング１が組み立てられる。
【００５９】
支持部材４は、例えばＰＢＴ樹脂により形成されている。支持部材４は、図５Ａ〜図５Ｃ、図６Ａ及び図６Ｂに示すように、一面（後面）が開口した左右方向に長い直方体状である。支持部材４は、支持部４１と、下側壁部４２と、上側壁部４３と、左側壁部４４と、右側壁部４５と、を有している。ここに、本実施形態では、下側壁部４２、上側壁部４３、左側壁部４４及び右側壁部４５により側壁部が構成されている。
【００６０】
支持部４１は、左右方向に長い矩形板状であり、第１基板５が載せ置かれる載置面（前面）４００を有している。この載置面４００は、上記差込方向と交差している。また、支持部４１は、開口孔４１０と、部品挿通孔４１１と、複数（ここでは３個）の位置決め突起４１２と、複数（ここでは３個）の押さえリブ４１３と、を有している。
【００６１】
開口孔４１０は、左右方向に長い矩形状であり、支持部４１の中央近傍において前後方向に貫通している。部品挿通孔４１１は、上下方向に長い矩形状であり、支持部４１における開口孔４１０の右側に前後方向に貫通している。
【００６２】
複数の位置決め突起４１２のうち２個の位置決め突起４１２は、支持部４１の上端縁から前方に突出している。これら２個の位置決め突起４１２は、左右方向における両端寄りの位置にそれぞれ設けられている。複数の位置決め突起４１２のうち残りの１個の位置決め突起４１２は、支持部４１の下端縁から前方に突出している。この位置決め突起４１２は、左右方向における中央寄りの位置に設けられている。
【００６３】
ここで、支持部材４に設けられた複数の位置決め突起４１２と、第１基板５に設けられた複数の位置決め孔５３とで、第１基板５を支持部材４に固定するための固定構造２００が構成されている。そして、本実施形態では、図５Ａに示すように、複数の位置決め突起４１２が、支持部４１の中心点Ｐ１を通る平面１００であって、第１内側端子８に対する第１外側端子１８の差込方向に沿った平面１００に対して非対称である。そのため、２個の位置決め突起４１２と２個の位置決め孔５３とが対応するように第１基板５の向きを合わせた状態でのみ、支持部４１の載置面４００に第１基板５を載せ置くことができる。すなわち、支持部４１の中心点Ｐ１を回転中心として第１基板５を１８０度回転させた場合には、支持部４１に第１基板５を載せ置くことができず、第１基板５の取付ミスを抑えることができる。
【００６４】
また、位置決め孔５３の上下寸法及び左右寸法は、位置決め突起４１２の上下寸法及び左右寸法よりもわずかに小さい。そのため、３個の位置決め突起４１２を３個の位置決め孔５３にそれぞれ差し込んだ状態では、支持部４１に対して第１基板５を位置決めすることができるだけでなく、支持部４１に対して第１基板５を強固に取り付けることができる。
【００６５】
また、支持部４１に第１基板５が取り付けられた（支持された）状態では、第１基板５に実装された電子部品１５が支持部４１の部品挿通孔４１１に通される。さらに、支持部４１に第１基板５が支持された状態では、第１基板５の第２面５２側に露出する第１内側端子８の第１基板５との接続ピンが支持部４１の開口孔４１０に通される。
【００６６】
複数の押さえリブ４１３は、支持部４１の後面（載置面４００と反対側の面）から後方に突出している。複数の押さえリブ４１３は、開口孔４１０の上端縁において左右方向に沿って設けられている。複数の押さえリブ４１３は、配線器具１０を組み立てた状態において、第２基板６の前端面に接触し、第２基板６に対して後向きの力を作用させる。
【００６７】
下側壁部４２は、支持部４１の載置面４００の４辺のうちの１辺（下辺）から後方（第１基板５と反対側）に突出している。下側壁部４２は、複数（ここでは３個）の押さえ部４２０，４２１と、溝４２２と、貫通孔４２３と、を有している。貫通孔４２３は、第２基板６に実装された電子部品１６と対向する位置において上下方向に貫通している。複数の押さえ部４２０，４２１は、下側壁部４２の後端部から後方に突出している。複数の押さえ部４２０，４２１のうち２個の押さえ部４２０は、貫通孔４２３の右側に設けられている。複数の押さえ部４２０，４２１のうち残りの１個の押さえ部４２１は、貫通孔４２３の左側に設けられている。溝４２２は、左右方向に並ぶ２個の押さえ部４２０の間に設けられている。
【００６８】
上側壁部４３は、支持部４１の載置面４００の４辺のうちの１辺（上辺）から後方（第１基板５と反対側）に突出している。上側壁部４３は、複数（ここでは３個）の押さえ部４３０，４３１と、溝４３２と、を有している。複数の押さえ部４３０，４３１は、上側壁部４３の後端部から後方に突出している。複数の押さえ部４３０，４３１のうち１個の押さえ部４３０は、上側壁部４３の右端寄りの位置に設けられている。複数の押さえ部４３０，４３１のうち残りの２個の押さえ部４３０，４３１は、上側壁部４３の左右方向における中央寄りの位置に設けられている。溝４３２は、左右方向に並ぶ２個の押さえ部４３０，４３１の間に設けられている。
【００６９】
左側壁部４４は、支持部４１の載置面４００の４辺のうちの１辺（左辺）から後方（第１基板５と反対側）に突出している。左側壁部４４は、複数（ここでは２個）の押さえ部４４０と、縦溝４４１と、差込溝４４２と、を有している。複数の押さえ部４４０は、左側壁部４４の後端部から後方に突出している。複数の押さえ部４４０は、左側壁部４４の上下方向における両端部にそれぞれ設けられている。縦溝４４１は、前後方向から見た形状が円弧状であり、左側壁部４４の表面（左面）において前後方向に沿って形成されている。差込溝４４２は、前後方向から見た形状がＵ字状であり、前後方向に沿って形成されている。差込溝４４２は、上側の押さえ部４４０の下側に設けられている。この差込溝４４２には、第２基板６の左端部が差し込まれる。
【００７０】
右側壁部４５は、支持部４１の載置面４００の４辺のうちの１辺（右辺）から後方（第１基板５と反対側）に突出している。右側壁部４５は、押さえ部４５０と、差込溝４５１と、逃がし溝４５２と、を有している。押さえ部４５０は、右側壁部４５の後端部から後方に突出している。押さえ部４５０は、右側壁部４５の上端部に設けられている。差込溝４５１は、前後方向から見た形状がＵ字状であり、前後方向に沿って形成されている。差込溝４５１は、押さえ部４５０の下側に設けられている。この差込溝４５１には、第２基板６の右端部が差し込まれる。逃がし溝４５２は、差込溝４５１と連続するように形成されている。配線器具１０を組み立てた状態では、第２基板６の一部が逃がし溝４５２内に入り込む。
【００７１】
（３）配線器具の組立方法
次に、本実施形態に係る配線器具１０の組立方法について説明する。
【００７２】
作業者は、第３収納部２２の釦用収納部２２１に解除釦１２を収納した後、第２基板６をボディ２の第２収納部２１に収納し、かつ第３基板７を第３収納部２２に収納する。このとき、第２基板６の主部６１の左右方向における両端部が一対の保持溝２１０にそれぞれ差し込まれる。またこのとき、第３基板７に実装された２個の第２内側端子９（対応する鎖錠ばね１１を含む）が、第３収納部２２の２個の端子用収納部２２０にそれぞれ収納される。第３基板７は、その法線方向が前後方向に沿うようにして第３収納部２２の前端面に載せ置かれる。
【００７３】
次に、作業者は、第２基板６を覆うようにしてボディ２に支持部材４を載せる（図７参照）。このとき、支持部材４の２個の押さえ部４２０がボディ２の第１支え部２１１に前方（第１基板５側）から接触し、押さえ部４５０が第２支え部２１２に前方から接触する。またこのとき、２個の押さえ部４３０のうちの一方が第３支え部２１３に前方から接触し、他方が第４支え部２１４に前方から接触する。さらにこのとき、押さえ部４２１，４
３１，４４０が、前方から第３基板７の表面（前面）に接触する。ここに、本実施形態では、押さえ部４２０，４３０，４５０により接触部が構成されている。
【００７４】
ボディ２に支持部材４を載せた状態では、支持部４１、下側壁部４２、上側壁部４３、左側壁部４４及び右側壁部４５で囲まれた空間内に第２基板６の一部が収納される。すなわち、本実施形態では、支持部４１、下側壁部４２、上側壁部４３、左側壁部４４及び右側壁部４５で囲まれた空間により収納部４６が構成されている。言い換えると、第１内側端子８に対する第１外側端子１８の差込方向（前後方向）における支持部４１と接触部との間に収納部４６が設けられている。
【００７５】
続けて、作業者は、支持部材４の支持部４１に第１基板５を固定する。このとき、第１基板５に設けられた３個の位置決め孔５３に、支持部４１に設けられた３個の位置決め突起４１２がそれぞれ嵌め込まれる。またこのとき、第１基板５の第２面５２に配置された電子部品１５が部品挿通孔４１１に通され、第２面５２側に露出する第１内側端子８の接続ピンが開口孔４１０に通される。この状態では、第１基板５の第２面５２と支持部４１の載置面４００とが前後方向において接触している。
【００７６】
最後に、作業者は、ボディ２の前面開口を塞ぐようにしてボディ２にカバー３を取り付ける。このとき、カバー３に設けられた４個の組立孔３３０に、ボディ２に設けられた４個の組立突起２４がそれぞれ嵌め込まれる。またこのとき、カバー３に設けられた差込部３１１，３１２がボディ２内に差し込まれる。さらにこのとき、カバー３に設けられた２個の差込溝３１４に、ボディ２に設けられた２個の突条部２５がそれぞれ差し込まれる。
【００７７】
以上の手順によって配線器具１０が組み立てられる。
【００７８】
（４）第１基板、第２基板及び第３基板の位置関係
図８及び図９は、本実施形態に係る配線器具１０を組み立てた状態の断面図である。以下、第１基板５、第２基板６及び第３基板７の位置関係について、図８及び図９を参照して説明する。
【００７９】
第１基板５及び第３基板７は、その法線方向が前後方向（第１内側端子８に対する第１外側端子１８の差込方向）となるようにしてハウジング１に収納されている。言い換えると、第１基板５及び第３基板７の法線方向は、上記差込方向に沿う方向である。また、第２基板６は、その法線方向が上下方向（上記差込方向と交差する方向）となるようにしてハウジング１に収納されている。言い換えると、第２基板６の法線方向は、上記差込方向と交差する方向である。上述のように、第２基板６の法線方向が上記差込方向と交差しているので、第２基板６の法線方向が上記差込方向に沿う方向である場合と比較して、上記差込方向と交差する方向においてハウジング１を小型化することができる。
【００８０】
第３基板７は、前後方向（図８中の上下方向）において第２基板６の突出部６２の後方に位置している。言い換えると、第３基板７は、前後方向における第２基板６の両端間に位置している。さらに言い換えると、第３基板７は、上記差込方向における第２基板６の両端間に位置している。このように、前後方向における第２基板６の両端間に第３基板７を配置することにより、前後方向における第２基板６の両端よりも外側（前側又は下側）に第３基板７を配置する場合と比較して、前後方向においてハウジング１を小型化することができる。
【００８１】
第１基板５は、図８及び図９に示すように、前後方向において第２基板６及び第３基板７よりも前方に位置している。言い換えると、第１基板５は、第２基板６及び第３基板７のうち第１挿通孔３２０に近い方の第２基板６と第１挿通孔３２０との間に位置している
。このように、前後方向における第２基板６と第１挿通孔３２０との間に第１基板５を配置することにより、第１基板５と第２基板６とを前後方向において横並びに配置した場合と比較して、前後方向と交差する方向においてハウジング１を小型化することができる。
【００８２】
（５）支持部材の支持構造
以下、支持部材４の支持構造について、図８及び図９を参照して説明する。
【００８３】
支持部材４は、接触部としての押さえ部４２０，４３０，４５０（図９では押さえ部４２０のみ図示）により、前方（第１基板５側）からボディ２の第１支え部２１１、第２支え部２１２、第３支え部２１３及び第４支え部２１４に接触している。また、支持部材４は、押さえ部４２１，４３１，４４０（図９では押さえ部４２１，４３１のみ図示）により、前方から第３基板７の表面（前面）に接触している。さらに、支持部材４は、支持部４１の後面に設けられた複数の押さえリブ４１３により、前方から第２基板６の前端縁に接触している（図８参照）。そして、カバー３は、カバー本体３１の前壁３００の後面（対向面３００ａ）に設けられた複数の変形部３１０により、前方から第１基板５に接触している。このように、第１基板５を支持するための支持部材４は、ボディ２及びカバー３により前後方向に位置決めされている。
【００８４】
ところで、配線器具１０が取り付けられた取付枠を埋込ボックスに取り付ける際には、外部電源からの給電用の上記電線が配線器具１０に接続されている。そして、埋込ボックスに取付枠を取り付けた状態では、埋込ボックス内に収納された他の電線等によって上記電線に前向きの応力が加えられる場合がある。支持部材４は、上述のように、ボディ２及びカバー３によって前後方向に位置決めされており、上記電線から第２内側端子９を介して第３基板７に伝達される応力を支持部材４で受けることができる。
【００８５】
また、配線器具１０の施工後において、第１内側端子８に第１外側端子１８を差し込む際には、第１外側端子１８から加えられる応力が第１基板５を介して支持部材４に伝達される。支持部材４は、上述のように、ボディ２及びカバー３によって前後方向に位置決めされており、第１基板５から伝達される応力を支持部材４で受けることができる。
【００８６】
さらに、第１外側端子１８を通すための第１挿通孔３２０は、前後方向におけるハウジング１の一端部（前端部）に設けられ、第２外側端子１９を通すための第２挿通孔２２００は、前後方向におけるハウジング１の他端部（後端部）に設けられている。すなわち、第１内側端子８に対して第１外側端子１８を差し込む方向と、第２内側端子９に対して第２外側端子１９を差し込む方向とが同じ方向である。言い換えると、第１内側端子８に第１外側端子１８を接続する際に第１外側端子１８から加えられる応力の方向と、第２内側端子９に第２外側端子１９を接続する際に第２外側端子１９から加えられる応力の方向とが同じ方向である。そのため、第１外側端子１８及び第２外側端子１９から加えられる応力を受けるための構造を一方向（第１内側端子８に対する第１外側端子１８の差込方向、つまり図８における上向き及び下向き）に設けるだけでよい。その結果、第１外側端子１８から加えられる応力の方向と第２外側端子１９から加えられる応力の方向とが異なる場合と比較して、構造を簡略化することができる。
【００８７】
（６）変形例
以下、本実施形態の変形例について説明する。
【００８８】
本実施形態では、第１内側端子８がＵＳＢソケットである場合を例として説明したが、第１内側端子８はＵＳＢソケットに限らない。第１内側端子８は、例えば、ＨＤＭＩ（High-Definition Multimedia Interface）端子（登録商標）、ＶＧＡ（Video Graphics Array）端子（登録商標）、ＬＡＮ（Local Area Network）端子等であってもよい。
【００８９】
また、本実施形態では、第２内側端子９が第３基板７に実装されているが、第２内側端子９は第２基板６に実装されていてもよい。この場合、第３基板７を省略することができる。
【００９０】
また、本実施形態では、第３基板７の法線方向が上記差込方向に沿う方向である場合を例として説明したが、第３基板７の法線方向は上記差込方向と交差する方向であってもよい。この場合、第２内側端子９に対する第２外側端子１９の差込方向は、第１内側端子８に対する第１外側端子１８の差込方向と交差する方向になる。
【００９１】
また、本実施形態では、第１基板５に位置決め孔５３が設けられ、支持部材４の支持部４１に位置決め突起４１２が設けられているが、第１基板５に位置決め突起が設けられ、支持部４１に位置決め孔が設けられていてもよい。さらに、支持部４１に第１基板５を固定する固定構造２００は一例であって、位置決め孔５３と位置決め突起４１２以外の構成であってもよい。言い換えると、固定構造２００は、支持部４１に対して第１基板５を位置決めすることができ、かつ支持部４１に第１基板５を固定することができる構造であればよい。
【００９２】
また、本実施形態では、支持部材４が、４つの側壁部（下側壁部４２、上側壁部４３、左側壁部４４及び右側壁部４５）を有しているが、支持部材４は、少なくとも１つの側壁部を有していればよい。また、側壁部は、支持部４１の載置面４００の４辺のうち対応する１辺の長手方向における半分以上が面で覆われていればよい。
【００９３】
また、本実施形態では、変形部３１０がカバー３と一体に形成されているが、変形部はカバーと別体であってもよい。この場合、変形部は、本実施形態と同様に塑性変形する材料で形成されていてもよいし、弾性変形する材料で形成されていてもよい。また、変形部３１０の個数は本実施形態に限らず、１個、２個、３個又は５個以上であってもよい。
【００９４】
また、本実施形態では、第２基板６を保持するための保持溝２１０が第２収納部２１の左右方向における両端部に設けられているが、保持溝２１０は第２収納部２１の左右方向における少なくとも一端部に設けられていればよい。
【００９５】
また、本実施形態では、平面１００の一方側に設けられた位置決め孔５３及び位置決め突起４１２の個数と、平面１００の他方側に設けられた位置決め孔５３及び位置決め突起４１２の個数とを異ならせることにより非対称としている。これに対して、平面１００の一方側と他方側とで、位置決め孔５３及び位置決め突起４１２の個数は同じで、位置決め孔５３及び位置決め突起４１２を設ける位置を異ならせることにより非対称としてもよい。
【００９６】
また、本実施形態の押さえリブ４１３の個数は一例であって、１個、２個又は４個以上であってもよい。
【００９７】
また、本実施形態では、支持部４１が面全体で第１基板５を支持するように構成されているが、支持部４１は、例えば複数のリブにより第１基板５を支持するように構成されていてもよい。
【００９８】
また、本実施形態では、取付枠に取り付けられた配線器具１０が、建物の壁面等の施工面に取り付けられる場合を例として説明したが、配線器具１０は、例えばテーブル、机等に取り付けられてもよい。この場合、第１内側端子８に対する第１外側端子１８の差込方向がテーブル、机等の法線方向（上下方向）に沿うようにして、配線器具１０がテーブル、机等に取り付けられることが好ましい。この場合において、例えばカバー３に設けられた第１挿通孔３２０から水滴等がハウジング１内に浸入した場合を想定する。この場合、ハウジング１内に浸入した水滴等を、支持部材４の左側壁部４４に設けられた縦溝４４１に沿って下向きに流すことができる。縦溝４４１に沿って下向きに流れた水滴等は、第３収納部２２の釦用収納部２２１内へと流れ込む。そして、釦用収納部２２１内へ流れ込んだ水滴等は、釦用収納部２２１の底壁に設けられた解除孔２２１０を通して外部に流れ出す。このように、本実施形態に係る配線器具１０がテーブル、机等に取り付けられた場合には、ハウジング１内に水滴等が浸入した場合でも解除孔２２１０からハウジング１外に排出することができる。
【００９９】
（７）効果
以上説明したように、第１の態様に係る配線器具１０は、第１内側端子８と、第２内側端子９と、第１基板５と、第２基板６と、第３基板７と、ハウジング１と、を備える。第１内側端子８は、差込式の第１外側端子１８を接続可能に構成されている。第２内側端子９は、第２外側端子１９を接続可能に構成されている。第１基板５には、第１内側端子８が実装される。第２基板６は、第１基板５に電気的に接続される。第３基板７には、第２内側端子９が実装される。第３基板７は、第２基板６に電気的に接続される。ハウジング１は、第１基板５、第２基板６及び第３基板７を収納する。第１基板５及び第３基板７の法線方向は、第１内側端子８に対する第１外側端子１８の差込方向（前後方向）に沿う方向である。第２基板６の法線方向は、差込方向と交差する方向（上下方向）である。
【０１００】
第１の態様によれば、第２基板６の法線方向が差込方向と交差しているので、第２基板６の法線方向が差込方向に沿う場合と比較して、差込方向と交差する方向においてハウジング１を小型化することができる。
【０１０１】
第２の態様に係る配線器具１０では、第１の態様において、第３基板７は、差込方向における第２基板６の両端間に位置している。
【０１０２】
第２の態様によれば、差込方向における第２基板６の両端間に第３基板７が位置しているので、差込方向における第２基板６の両端間によりも外側に第３基板７が位置している場合と比較して、差込方向においてハウジング１を小型化することができる。ただし、この構成は配線器具の必須の構成ではなく、差込方向における第２基板の両端間よりも外側に第３基板が位置していてもよい。
【０１０３】
第３の態様に係る配線器具１０では、第１又は２の態様において、ハウジング１は、第１外側端子１８を通す挿通孔（第１挿通孔３２０）を有する。第１基板５は、差込方向において、第２基板６及び第３基板７のうち挿通孔に近い方の基板と挿通孔との間に位置している。
【０１０４】
第３の態様によれば、差込方向において挿通孔に近い方の基板と挿通孔との間に第１基板５が位置している。そのため、上記基板と第１基板５とが差込方向と交差する方向において横並びに配置されている場合と比較して、差込方向と交差する方向においてハウジング１を小型化することができる。ただし、この構成は配線器具の必須の構成ではなく、差込方向において挿通孔に近い方の基板と挿通孔との間に第１基板が位置していなくてもよい。
【０１０５】
第４の態様に係る配線器具１０では、第１〜３の態様のいずれかにおいて、ハウジング１は、差込方向における一面が開口する箱状のボディ２と、ボディ２の開口を塞ぐようにボディ２に取り付けられるカバー３と、を含む。カバー３は、第１基板５を収納する第１収納部３４を有する。ボディ２は、第２基板６を収納する第２収納部２１と、第３基板７を収納する第３収納部２２と、を有する。
【０１０６】
第４の態様によれば、第１基板５、第２基板６及び第３基板７をハウジング１内に収納することができる。ただし、この構成は配線器具の必須の構成ではなく、例えば、第１基板を収納する第１収納部がボディに設けられていてもよい。
【０１０７】
第５の態様に係る配線器具１０では、第４の態様において、第２収納部２１は、差込方向と交差し、かつ第２基板６の法線方向と交差する方向における少なくとも一端部に設けられた保持溝２１０を有する。保持溝２１０は、差込方向に沿って形成されている。第２基板６は、差込方向と交差し、かつ第２基板６の法線方向と交差する方向における少なくとも一端部を保持溝２１０に差し込むことでボディ２に保持される。
【０１０８】
第５の態様によれば、第２基板６の端部を保持溝２１０に差し込むだけで、第２基板６をボディ２に保持させることができる。ただし、この構成は配線器具の必須の構成ではなく、保持溝は省略されていてもよい。
【０１０９】
第６の態様に係る配線器具１０は、第４又は５の態様において、第１基板５を支持する支持部材４を更に備える。第２収納部２１は、支持部材４を支える支え部（第１支え部２１１、第２支え部２１２、第３支え部２１３、第４支え部２１４）を有する。
【０１１０】
第６の態様によれば、第１内側端子８に第１外側端子１８を接続する際に第１外側端子１８から加えられる応力を支持部材４で受けることができる。ただし、この構成は配線器具の必須の構成ではなく、支持部材は省略されていてもよい。
【０１１１】
第７の態様に係る配線器具１０では、第１〜６の態様のいずれかにおいて、差込方向におけるハウジング１の一端部には、第１内側端子８に第１外側端子１８を接続する際に第１外側端子１８を通す第１挿通孔３２０が設けられている。差込方向におけるハウジング１の他端部には、第２内側端子９に第２外側端子１９を接続する際に第２外側端子１９を通す第２挿通孔２２００が設けられている。
【０１１２】
第７の態様によれば、第１内側端子８に第１外側端子１８を接続する際に第１外側端子１８から加えられる応力の方向と、第２内側端子９に第２外側端子１９を接続する際に第２外側端子１９から加えられる応力の方向とが同じ方向になる。言い換えると、配線器具１０に対して加えられる応力の方向を一方向（差込方向）に限定することができる。そのため、第１外側端子１８及び第２外側端子１９から加えられる応力を受けるための構造を一方向に設けるだけでよく、第１外側端子１８から加えられる応力の方向と第２外側端子１９から加えられる応力の方向とが異なる場合と比較して、構造を簡略化できる。ただし、この構成は配線器具の必須の構成ではなく、例えば、第２挿通孔は差込方向と交差する方向におけるハウジングの端部に設けられていてもよい。
【０１１３】
第８の態様に係る配線器具１０では、第１〜７の態様のいずれかにおいて、第１内側端子８はＵＳＢソケットである。
【０１１４】
第８の態様によれば、ＵＳＢプラグを接続することができる。ただし、この構成は配線器具の必須の構成ではなく、例えば、第１内側端子はＬＡＮ端子であってもよい。
【符号の説明】
【０１１５】
１  ハウジング
２  ボディ
２１  第２収納部
２１０  保持溝
２１１  第１支え部（支え部）
２１２  第２支え部（支え部）
２１３  第３支え部（支え部）
２１４  第４支え部（支え部）
２２  第３収納部
２２００  第２挿通孔
３  カバー
３４  第１収納部
３２０  第１挿通孔（挿通孔）
４  支持部材
５  第１基板
６  第２基板
７  第３基板
８  第１内側端子
９  第２内側端子
１０  配線器具
１８  第１外側端子
１９  第２外側端子
【図１】
2020102222.tif 000003
【図２】
2020102222.tif 000004
【図３】
2020102222.tif 000005
【図４】
2020102222.tif 000006
【図５】
2020102222.tif 000007
【図６】
2020102222.tif 000008
【図７】
2020102222.tif 000009
【図８】
2020102222.tif 000010
【図９】
2020102222.tif 000011